(57)【要約】【課題】各センサ部において形成されるコンデンサの容量を効果的に増加させることができるタッチパネルセンサを提供する。【解決手段】タッチパネルセンサは、基材と、基材の一方の面において第１領域に位置し、第１電極、第２電極及びダミー電極を有する複数のセンサ部と、各センサ部の第１電極に接続され、第２領域まで延びる複数の第１配線と、各センサ部の前記第２電極に接続され、第２領域まで延びる複数の第２配線と、を備える。第１電極は、第１方向に延び、且つ第１方向に交差する第２方向に並ぶ複数の第１線状部分を含む。第２電極は、隣り合う２つの第１線状部分の間に位置し、第１方向に延び、且つ第２方向に並ぶ複数の第２線状部分を含む。ダミー電極は、第１電極の第１線状部分と第２電極の第２線状部分との間に位置し、第１電極及び第２電極のいずれにも接続されていない第１ダミー電極を少なくとも含む。【選択図】図３
2018112842.tif 000002
【特許請求の範囲】
【請求項１】
外部導体の位置を検出することができる領域に対応する第１領域と、前記第１領域の周辺に位置する第２領域と、に区画される基材と、
基材の一方の面において前記第１領域に位置し、第１電極、第２電極及びダミー電極を有する複数のセンサ部と、
各センサ部の前記第１電極に接続され、前記第２領域まで延びる複数の第１配線と、
各センサ部の前記第２電極に接続され、前記第２領域まで延びる複数の第２配線と、を備え、
前記第１電極は、第１方向に延び、且つ前記第１方向に交差する第２方向に並ぶ複数の第１線状部分を含み、
前記第２電極は、隣り合う２つの前記第１線状部分の間に位置し、前記第１方向に延び、且つ前記第２方向に並ぶ複数の第２線状部分を含み、
前記ダミー電極は、前記第１電極の前記第１線状部分と前記第２電極の前記第２線状部分との間に位置し、前記第１電極及び前記第２電極のいずれにも接続されていない第１ダミー電極を少なくとも含む、タッチパネルセンサ。
【請求項２】
前記第１電極、前記第２電極及び前記ダミー電極はそれぞれ、前記基材の一方の側に網目状に配置された複数の導線を含む、請求項１に記載のタッチパネルセンサ。
【請求項３】
前記ダミー電極の前記第１ダミー電極の前記導線は、当該導線を仮想的に延長した場合に、前記第１ダミー電極に隣接する前記第１電極の前記第１線状部分の前記導線又は前記第２電極の前記第２線状部分の前記導線に重なるよう、構成されている、請求項２に記載のタッチパネルセンサ。
【請求項４】
前記第１ダミー電極は、前記第１方向に並ぶ複数のダミー領域を含む、請求項２又は３に記載のタッチパネルセンサ。
【請求項５】
複数の前記ダミー領域の前記第１方向における寸法がランダムである、請求項４に記載のタッチパネルセンサ。
【請求項６】
前記第１ダミー電極は、前記導線同士が交わることによって形成される複数の交点を含み、
前記第１方向において隣り合う２つの前記交点が、電気的に分断されている、請求項４又は５に記載のタッチパネルセンサ。
【請求項７】
前記第１線状部分の側部が、鋸状の輪郭を有する、請求項１乃至６のいずれか一項に記載のタッチパネルセンサ。
【請求項８】
前記複数のセンサ部は、第３方向及び第４方向に並んでおり、
前記第１配線は、第３方向に延びている、請求項１乃至７のいずれか一項に記載のタッチパネルセンサ。
【請求項９】
表示装置と、
前記表示装置の表示面上に配置されたタッチパネルセンサと、を備え、
前記タッチパネルセンサは、
外部導体の位置を検出することができる領域に対応する第１領域と、前記第１領域の周辺に位置する第２領域と、に区画される基材と、
基材の一方の面において前記第１領域に位置し、第１電極、第２電極及びダミー電極を有する複数のセンサ部と、
各センサ部の前記第１電極に接続され、前記第２領域まで延びる複数の第１配線と、
各センサ部の前記第２電極に接続され、前記第２領域まで延びる複数の第２配線と、を備え、
前記第１電極は、第１方向に延び、且つ前記第１方向に交差する第２方向に並ぶ複数の第１線状部分を含み、
前記第２電極は、隣り合う２つの前記第１線状部分の間に位置し、前記第１方向に延び、且つ前記第２方向に並ぶ複数の第２線状部分を含み、
前記ダミー電極は、前記第１電極の前記第１線状部分と前記第２電極の前記第２線状部分との間に位置し、前記第１電極及び前記第２電極のいずれにも接続されていない第１ダミー電極を少なくとも含む、タッチ位置検出機能付き表示装置。
【発明の詳細な説明】
【技術分野】
【０００１】
本発明は、外部導体の接近又は接触を検出するためのタッチパネルセンサ及びタッチ位置検出機能付き表示装置に関する。
【背景技術】
【０００２】
今日、液晶ディスプレイや有機ＥＬディスプレイ等の表示装置が組み込まれた種々の装置等（例えば、券売機、ＡＴＭ装置、携帯電話、ゲーム機）に対する入力手段として、タッチパネル装置が広く用いられている。タッチパネル装置は、基材と、基材上に設けられ、指などの外部導体の接近又は接触を検出するセンサ部と、センサ部に接続された配線と、を備えるタッチパネルセンサを含む。タッチパネルセンサの基材は、外部導体が検出され得る領域に対応するアクティブエリアと、アクティブエリアの周辺に位置する非アクティブエリアと、に区画される。タッチパネルセンサが表示装置の表示面に重ねられる場合、アクティブエリアは、表示装置から放出される映像光が適切に透過できるように構成される。
【０００３】
タッチパネルセンサの構造として、基材の片側にセンサ部及び配線を設ける構造が知られている。例えば特許文献１において、タッチパネルセンサは、駆動電極及び検出電極を有し、基材の片側に二次元配列された複数のセンサ部と、駆動電極に接続されたドライブ線と、検出電極に接続されたセンス線と、を備える。この場合、駆動電極と検出電極との間に形成される電気力線が、外部導体の接近又は接触による影響を受けることに基づいて、外部導体の位置を検出することができる。
【先行技術文献】
【特許文献】
【０００４】
【特許文献１】特開２０１４−２０９３４４号公報
【発明の概要】
【発明が解決しようとする課題】
【０００５】
特許文献１に記載のタッチパネルセンサの各センサ部において、駆動電極と検出電極とは、端部においてのみ互いに対向している。この場合、駆動電極と検出電極とによって形成されるコンデンサの静電容量を増加させるためには、駆動電極及び検出電極の端部の長さを増加させる必要がある。しかしながら、駆動電極及び検出電極の端部の長さを増加させると、各センサ部の寸法が増加し、この結果、タッチパネルセンサの分解能が低下してしまう。
【０００６】
本発明は、このような課題を効果的に解決し得るタッチパネルセンサ及びタッチ位置検出機能付き表示装置を提供することを目的とする。
【課題を解決するための手段】
【０００７】
本発明は、外部導体の位置を検出することができる領域に対応する第１領域と、前記第１領域の周辺に位置する第２領域と、に区画される基材と、基材の一方の面において前記第１領域に位置し、第１電極、第２電極及びダミー電極を有する複数のセンサ部と、各センサ部の前記第１電極に接続され、前記第２領域まで延びる複数の第１配線と、各センサ部の前記第２電極に接続され、前記第２領域まで延びる複数の第２配線と、を備え、前記第１電極は、第１方向に延び、且つ前記第１方向に交差する第２方向に並ぶ複数の第１線状部分を含み、前記第２電極は、隣り合う２つの前記第１線状部分の間に位置し、前記第１方向に延び、且つ前記第２方向に並ぶ複数の第２線状部分を含み、前記ダミー電極は、前記第１電極の前記第１線状部分と前記第２電極の前記第２線状部分との間に位置し、前記第１電極及び前記第２電極のいずれにも接続されていない第１ダミー電極を少なくとも含む、タッチパネルセンサである。
【０００８】
本発明によるタッチパネルセンサにおいて、前記第１電極、前記第２電極及び前記ダミー電極はそれぞれ、前記基材の一方の側に網目状に配置された複数の導線を含んでいてもよい。
【０００９】
本発明によるタッチパネルセンサにおいて、前記ダミー電極の前記第１ダミー電極の前記導線は、当該導線を仮想的に延長した場合に、前記第１ダミー電極に隣接する前記第１電極の前記第１線状部分の前記導線又は前記第２電極の前記第２線状部分の前記導線に重なるよう、構成されていてもよい。
【００１０】
本発明によるタッチパネルセンサにおいて、前記第１ダミー電極は、前記第１方向に並ぶ複数のダミー領域を含んでいてもよい。
【００１１】
本発明によるタッチパネルセンサにおいて、好ましくは、複数の前記ダミー領域の前記第１方向における寸法がランダムである。
【００１２】
本発明によるタッチパネルセンサにおいて、前記第１ダミー電極は、前記導線同士が交わることによって形成される複数の交点を含み、前記第１方向において隣り合う２つの前記交点が、電気的に分断されていてもよい。
【００１３】
本発明によるタッチパネルセンサにおいて、前記第１線状部分の側部が、鋸状の輪郭を有していてもよい。
【００１４】
本発明によるタッチパネルセンサにおいて、前記複数のセンサ部は、第３方向及び第４方向に並んでおり、前記第１配線は、第３方向に延びていてもよい。
【００１５】
また、本発明は、表示装置と、前記表示装置の表示面上に配置されたタッチパネルセンサと、を備え、前記タッチパネルセンサは、外部導体の位置を検出することができる領域に対応する第１領域と、前記第１領域の周辺に位置する第２領域と、に区画される基材と、基材の一方の面において前記第１領域に位置し、第１電極、第２電極及びダミー電極を有する複数のセンサ部と、各センサ部の前記第１電極に接続され、前記第２領域まで延びる複数の第１配線と、各センサ部の前記第２電極に接続され、前記第２領域まで延びる複数の第２配線と、を備え、前記第１電極は、第１方向に延び、且つ前記第１方向に交差する第２方向に並ぶ複数の第１線状部分を含み、前記第２電極は、隣り合う２つの前記第１線状部分の間に位置し、前記第１方向に延び、且つ前記第２方向に並ぶ複数の第２線状部分を含み、前記ダミー電極は、前記第１電極の前記第１線状部分と前記第２電極の前記第２線状部分との間に位置し、前記第１電極及び前記第２電極のいずれにも接続されていない第１ダミー電極を少なくとも含む、タッチ位置検出機能付き表示装置である。
【発明の効果】
【００１６】
本発明によれば、各センサ部において形成されるコンデンサの容量を効果的に増加させることができる。
【図面の簡単な説明】
【００１７】
【図１】タッチ位置検出機能付き表示装置を示す展開図である。
【図２】タッチパネルセンサ全体を示す平面図である。
【図３】図２に示すタッチパネルセンサの１つのセンサ部並びに当該センサ部に接続された第１配線及び第２配線を拡大して示す平面図である。
【図４】センサ部、第１配線及び第２配線の構成の一例を示す平面図である。
【図５】図４に示すセンサ部及び第１配線の一部を拡大して示す平面図である。
【図６】ダミー電極が存在しない場合のセンサ部の一例を示す断面図である。
【図７】ダミー電極が存在する場合のセンサ部の一例を示す断面図である。
【図８】タッチパネルセンサの断面構造の一例を示す図である。
【図９】ダミー電極の一変形例を示す平面図である。
【図１０】ダミー電極の一変形例を示す平面図である。
【図１１】ダミー電極の一変形例を示す平面図である。
【図１２】センサ部の第１線状部分の輪郭の一変形例を示す平面図である。
【図１３】センサ部の第１線状部分の輪郭の一変形例を示す平面図である。
【図１４】センサ部の接続部分の輪郭の一変形例を示す平面図である。
【図１５】センサ部の一変形例を示す平面図である。
【発明を実施するための形態】
【００１８】
以下、図１乃至図８を参照して、本発明の第１の実施の形態について説明する。なお、本明細書に添付する図面においては、図示と理解のしやすさの便宜上、適宜縮尺および縦横の寸法比等を、実物のそれらから変更し誇張してある。
【００１９】
はじめに図１を参照して、タッチ位置検出機能付き表示装置１０について説明する。図１に示すように、タッチ位置検出機能付き表示装置１０は、液晶ディスプレイや有機ＥＬディスプレイなどの表示装置１５と、表示装置１５の観察者側に配置されたタッチパネルセンサ２０と、を組み合わせることによって構成されている。表示装置１５は、表示面１６ａを有する表示パネル１６と、表示パネル１６に接続された表示制御部（図示せず）と、を有している。表示パネル１６は、映像を表示することができるアクティブエリアＡ１と、アクティブエリアＡ１を取り囲むようにしてアクティブエリアＡ１の外側に配置された非アクティブエリア（額縁領域とも呼ばれる）Ａ２と、を含んでいる。表示制御部は、表示されるべき映像に関する情報を処理し、映像情報に基づいて表示パネル１６を駆動する。表示パネル１６は、表示制御部の制御信号に基づいて、所定の映像を表示面１６ａに表示する。すなわち、表示装置１５は、文字や図等の情報を映像として出力する出力装置としての役割を担っている。
【００２０】
タッチパネルセンサ２０は、表示装置１５の表示面１６ａに、例えば接着層（図示せず）を介して接着されている。なお図示はしないが、タッチパネルセンサ２０の観察者側には、タッチパネルセンサ２０や表示装置１５を保護するための保護カバーが設けられていてもよい。
【００２１】
タッチパネルセンサ
次に図１及び図２を参照して、タッチパネルセンサ２０について説明する。図２は、表示装置１５側から見た場合のタッチパネルセンサ２０を示す平面図である。タッチパネルセンサ２０は、相互容量方式のタッチパネルセンサとして構成されている。
【００２２】
図１及び図２に示すように、タッチパネルセンサ２０は、表示装置１５側の第１面２２ａ及び観察者側の第２面２２ｂを含む、矩形状の基材２２を備える。基材２２は、外部導体が検出され得る領域に対応する矩形状の第１領域Ａａ１と、第１領域Ａａ１の周辺に位置する矩形枠状の第２領域Ａａ２と、を含んでいる。第１領域Ａａ１は、表示パネル１６のアクティブエリアＡ１に対応する領域であり、第２領域Ａａ２は、表示パネル１６の非アクティブエリアＡ２に対応する領域である。また、図２に示すように、タッチパネルセンサ２０は、複数のセンサ部２４、複数の第１配線２６及び複数の第２配線２８を備える。センサ部２４、第１配線２６の一部及び第２配線２８の一部は、基材２２の第１領域Ａａ１に配置されており、第１配線２６のその他の部分及び第２配線２８のその他の部分は、基材２２の第２領域Ａａ２に配置されている。また、センサ部２４、第１配線２６及び第２配線２８はいずれも、基材２２の同一の面に設けられている。例えば、センサ部２４、第１配線２６及び第２配線２８はいずれも、基材２２の第１面２２ａに設けられている。また、センサ部２４、第１配線２６及び第２配線２８はいずれも、基材２２の第２面２２ｂに設けられていてもよい。
【００２３】
（基材）
基材２２を構成する材料としては、例えば、ポリエチレンテレフタレート（ＰＥＴ）、シクロオレフィンポリマー（ＣＯＰ）などの有機材料や、ガラスなどの無機材料など、十分な透光性を有する材料が用いられる。基材２２が例えばＰＥＴなどの有機材料を含む場合、基材２２の厚みは例えば３０μｍ以上且つ２００μｍ以下であり、好ましくは３０μｍ以上且つ１００μｍ以下である。なお、センサ部２４、第１配線２６及び第２配線２８を適切に保持することができる限りにおいて、基材２２の具体的な構成が特に限られることはない。例えば、基材２２は、ＰＥＴフィルムの表面に設けられたハードコート層を更に含んでいてもよい。
【００２４】
（センサ部）
図２に示すように、複数のセンサ部２４は、基材２２の第１面２２ａ上に二次元配列されている。例えば、複数のセンサ部２４は、第３方向Ｄ３及び第３方向Ｄ３に交差する第４方向Ｄ４に沿って並んでいる。図２に示す例において、第４方向Ｄ４は第３方向Ｄ３に直交している。以下の説明において、第３方向Ｄ３においてｍ番目に位置し、且つ第４方向Ｄ４においてｎ番目に位置するセンサ部２４のことを、センサ部２４＿ｍｎとも称する。ｍ及びｎは任意の正の整数である。
【００２５】
図３は、図２に示すタッチパネルセンサ２０の複数のセンサ部２４のうちの１つのセンサ部２４（例えばセンサ部２４＿４１）並びに当該センサ部２４に接続された第１配線２６及び第２配線２８を拡大して示す平面図である。センサ部２４は、第１電極３０、第２電極４０及びダミー電極５０を有する。
【００２６】
第１電極３０及び第２電極４０の一方は、信号電圧が印加される駆動電極として機能し、他方は、検出電極として機能する。例えば、第１電極３０が駆動電極である場合、第２電極４０が検出電極として機能する。この場合、第２電極４０には、第１電極３０と第２電極４０との間に形成されるコンデンサを介した容量結合によって、第１電極３０からの信号電圧が伝達される。ダミー電極５０は、第１電極３０及び第２電極４０のいずれにも接続されていない電極である。
【００２７】
以下、第１電極３０、第２電極４０及びダミー電極５０の詳細についてそれぞれ説明する。
【００２８】
第１電極３０は、複数の第１線状部分３１と、複数の第１線状部分３１に接続された第１接続部分３２と、を含む。複数の第１線状部分３１は、第１方向Ｄ１に延び、且つ第１方向Ｄ１に交差する第２方向Ｄ２に並んでいる。各第１線状部分３１は、第１方向Ｄ１に延びる一対の側部３１１を含んでいる。また、第１接続部分３２は、第２方向Ｄ２に延びている。第１接続部分３２は、第２方向Ｄ２に延びる一対の側部３２１を含んでいる。図３に示す例において、第２方向Ｄ２は第１方向Ｄ１に直交している。また、第１方向Ｄ１は上述の第３方向Ｄ３に平行であり、第２方向Ｄ２は上述の第４方向Ｄ４に平行である。
【００２９】
第１電極３０と同様に、第２電極４０も、複数の第２線状部分４１と、複数の第２線状部分４１に接続された第２接続部分４２と、を含む。複数の第２線状部分４１は、第１方向Ｄ１に延び、且つ第１方向Ｄ１に交差する第２方向Ｄ２に並んでいる。各第２線状部分４１は、第１方向Ｄ１に延びる一対の側部４１１を含んでいる。また、第２線状部分４１は、隣り合う２つの第１線状部分３１の間に位置している。例えば、第１線状部分３１及び第２線状部分４１は、第２方向Ｄ２に沿って交互に並んでいる。図３に示す例においては、同数の第１線状部分３１及び第２線状部分４１が交互に並んでいる。また、第２接続部分４２は、第２方向Ｄ２に延びている。第２接続部分４２は、第２方向Ｄ２に延びる一対の側部４２１を含んでいる。
【００３０】
図３に示すように、各第１線状部分３１の側部３１１は、各第２線状部分４１の側部４１１に対向している。この場合、第１線状部分３１の側部３１１と第２線状部分４１の側部４１１との間には、側部３１１及び側部４１１の対向部分の長さに比例した静電容量を有するコンデンサが形成される。従って、第１電極３０と第２電極４０との間には、第１線状部分３１及び第２線状部分４１の数、並びに側部３１１及び側部４１１の対向部分の長さに比例した静電容量を有するコンデンサが形成される。このため、上述の特許文献１のように駆動電極及び検出電極の端部でのみ互いに対向する場合に比べて、静電容量を増加させることができる。このことにより、センサ部２４の検出感度を高めることができる。
【００３１】
ダミー電極５０は、第１電極３０の第１線状部分３１の側部３１１と第２電極４０の第２線状部分４１の側部４１１との間に位置する第１ダミー電極５１を少なくとも含む。図３に示す例において、第１ダミー電極５１は、第１線状部分３１及び第２線状部分４１に沿って第１方向Ｄ１に延びている。
【００３２】
ダミー電極５０は、第１接続部分３２と第２線状部分４１の端部４１２との間、又は第２接続部分４２と第１線状部分３１の端部３１２との間に位置する第２ダミー電極５２を更に含んでいてもよい。図３に示す例において、第２ダミー電極５２は、第１接続部分３２又は第２接続部分４２に沿って第２方向Ｄ２に延びている。
【００３３】
（第１配線）
次に、第１配線２６について説明する。図２及び図３に示すように、複数の第１配線２６はそれぞれ、第３方向Ｄ３に並ぶ複数のセンサ部２４のうちの対応する１つのセンサ部２４の第１電極３０に接続されている。第１配線２６は、接続部分２６１及び線状部分２６２を含む。接続部分２６１は、対応する第１電極３０の第１接続部分３２に、第４方向Ｄ４の一方の側（図３の例では左側）において接続されている。線状部分２６２は、接続部分２６１から第２領域Ａａ２まで延びている。接続部分２６１及び線状部分２６２はいずれも、複数のセンサ部２４が並ぶ第３方向Ｄ３に延びている。
【００３４】
図２に示すように、第３方向Ｄ３に並ぶ複数のセンサ部２４に接続された第１配線２６の複数の線状部分２６２は、第４方向Ｄ４に並んでいる。この場合、第４方向Ｄ４に並ぶ線状部分２６２の数は、図２における下側の第２領域Ａａ２（線状部分２６２が向かう方向に位置する第２領域Ａａ２）に近づくにつれて増加する。ここで本実施の形態においては、図２に示すように、第３方向Ｄ３における第２領域Ａａ２までの距離が大きい接続部分２６１ほど、第４方向Ｄ４における幅を大きくしている。これによって、図２に示すように、第１配線２６が第４方向Ｄ４において占める領域の幅を、第３方向Ｄ３における位置に依らず一定にすることができる。このため、第４方向Ｄ４におけるセンサ部２４の幅を、第３方向Ｄ３における位置に依らず一定にすることができるので、センサ部２４の感度が第３方向Ｄ３における位置によって相違することを抑制することができる。
【００３５】
接続部分２６１は、好ましくは、図３に示すように、第２電極４０の第２線状部分４１の側部４１１に対向するよう第２線状部分４１に平行に延びる側部２６３を含む。この場合、第１電極３０と第２電極４０との間だけでなく、第２電極４０の第２線状部分４１と第１配線２６との間にもコンデンサを形成することができ、センサ部２４の静電容量を増加させることができる。
【００３６】
（第２配線）
次に、第２配線２８について説明する。図２及び図３に示すように、複数の第２配線２８はそれぞれ、対応するセンサ部２４の第２電極４０に、第４方向Ｄ４の他方の側（図２及び図３の例では右側）において接続されている。第２配線２８は、第４方向Ｄ４においてセンサ部２４を介して第１配線２６の接続部分２６１に対向している。また、第２配線２８は、複数のセンサ部２４が並ぶ第３方向Ｄ３に沿って第２領域Ａａ２まで延びている。
【００３７】
図２及び図３に示すように、１本の第２配線２８が、第３方向Ｄ３に並ぶ複数のセンサ部２４の第２電極４０に接続されていてもよい。これによって、第１領域Ａａ１に配置される第２配線２８の本数を削減することができる。
【００３８】
以下、第１電極３０、第２電極４０、ダミー電極５０、第１配線２６及び第２配線２８の構成について詳細に説明する。図４は、タッチパネルセンサ２０の１つのセンサ部２４、並びに、センサ部２４の近傍に位置する第１配線２６及び第２配線２８の構成の一例を示す平面図である。また、図５は、図４において符号Vが付された枠で囲まれた部分を拡大して示す平面図である。
【００３９】
図４及び図５に示すように、第１電極３０、第２電極４０、ダミー電極５０、第１配線２６及び第２配線２８はそれぞれ、網目状に配置された複数の導線６１を含む。図５に示すように、導線６１の一部は、第５方向Ｄ５に沿って直線状に延びており、また、導線６１のその他の一部は、第５方向Ｄ５に交差する第６方向Ｄ６に沿って直線状に延びている。図５に示す例において、第５方向Ｄ５及び第６方向Ｄ６はそれぞれ、第３方向Ｄ３に対して所定の角度、例えば４５°を成している。この場合、各導線６１の間に正方形状の開口部６２が画成される。開口部６２の寸法は、第１領域Ａａ１の面積のうち開口部６２によって占められる面積の比率（以下、開口率と称する）が十分に高くなり、これによって、表示装置１５からの映像光が適切な透過率でアクティブエリアＡａ１を透過することができるよう、設定されている。なお、導線６１が延びる方向や開口部６２の形状は特には限定されない。
【００４０】
図４及び図５に示すように、第１線状部分３１と第１ダミー電極５１との間、及び第２線状部分４１と第１ダミー電極５１との間には、第１線状部分３１及び第２線状部分４１と第１ダミー電極５１とを電気的に分離するための第１隙間Ｓ１が形成されている。第１隙間Ｓ１は、第１線状部分３１又は第２線状部分４１に沿って第１方向Ｄ１に延びている。また、第１接続部分３２と第２ダミー電極５２との間、及び第２接続部分４２と第２ダミー電極５２との間にも、電気的な分離のための第２隙間Ｓ２が形成されている。第２隙間Ｓ２は、第１接続部分３２又は第２接続部分４２に沿って第２方向Ｄ２に延びている。また、複数の第１配線２６の間にも、電気的な分離のための第３隙間Ｓ３が形成されている。第３隙間Ｓ３は、第１配線２６に沿って第３方向Ｄ３に延びている。
【００４１】
図５において、符号ａは、第１隙間Ｓ１の幅を表し、符号ｂは、第２隙間Ｓ２の幅を表す。隙間Ｓ１、Ｓ２が目立つことを抑制するためには、幅ａ、幅ｂが小さいことが好ましい。幅ａ、幅ｂは、例えば５μｍ以上且つ７０μｍ以下である。また、第３隙間Ｓ３の幅は、例えば５μｍ以上且つ７０μｍ以下である。
【００４２】
図５において、符号ｃは、第１線状部分３１の側部３１１と第２線状部分４１の側部４１１との間の第２方向Ｄ２における間隔を表す。本実施の形態によれば、第１線状部分３１と第２線状部分４１との間に第１ダミー電極５１を設けることにより、第１隙間Ｓ１の幅ａを小さくしながら、第１線状部分３１と第２接続部分４２との間の間隔ｃを拡大することができる。
【００４３】
第１線状部分３１と第２接続部分４２との間の間隔ｃを拡大することによって実現される効果を、図６及び図７を参照して説明する。図６は、第１線状部分３１と第２接続部分４２との間に第１ダミー電極５１が存在しない場合のセンサ部２４の一例を示す断面図であり、図７は、第１ダミー電極５１が存在する場合のセンサ部２４の一例を示す断面図である。
【００４４】
図６及び図７において、符号７１は、第１線状部分３１と第２線状部分４１との間に形成される電気力線を表す。電気力線７１は、第１線状部分３１と第２線状部分４１との間の間隔ｃが大きいほど、広域にわたって広がる。電気力線７１が広がる範囲が大きいほど、センサ部２４が外部導体７２を検出可能な範囲も広くなる。例えば、センサ部２４が外部導体７２を検出し始める際の、基材２２の第２面２２ｂと外部導体７２との間の距離Ｅが大きくなる。すなわち、センサ部２４の感度が向上する。
【００４５】
図６に示す例において、間隔ｃは、第１隙間Ｓ１の幅ａに等しい。第１隙間Ｓ１の幅ａを大きくすると、第１隙間Ｓ１がユーザーに視認され易くなる。このため、図６に示す例においては、間隔ｃが制限され、この結果、センサ部２４の感度も制限される。
【００４６】
一方、図７に示す例において、間隔ｃは、第１隙間Ｓ１の幅ａを二倍した値に第１ダミー電極５１の幅を加えたものとなる。図７に示す例によれば、第１隙間Ｓ１の幅ａを維持しながら間隔ｃを大きくして、センサ部２４の感度を向上させることができる。例えば、センサ部２４が外部導体７２を検出し始める際の、基材２２の第２面２２ｂと外部導体７２との間の距離Ｅを、図６に示す例の場合に比べて大きくすることができる。このことにより、例えば基材２２の厚みが大きい場合や、基材２２の第２面２２ｂ側に更に保護カバーなどが設けられる場合であっても、外部導体７２を適切に検出することができる。
【００４７】
好ましくは、導線６１は、隙間Ｓ１、Ｓ２、Ｓ３を挟んで隣接する導線６１の一方を延長すると他方に重なるよう、配置されている。言い換えると、隙間Ｓ１、Ｓ２、Ｓ３は、直線状に延びる１本の導線６１のうち隙間Ｓ１、Ｓ２、Ｓ３となるべき領域に位置する部分を、図５に点線で示す分断部６３として除去することによって、構成されている。この場合、例えばダミー電極５０の第１ダミー電極５１の導線６１は、第１ダミー電極５１の導線６１を仮想的に延長した場合に、第１ダミー電極５１に隣接する第１電極３０の第１線状部分３１の導線６１又は第２電極４０の第２線状部分４１の導線６１に重なる。このように導線６１を構成することにより、隙間Ｓ１、Ｓ２、Ｓ３が目立つことを抑制することができる。
【００４８】
図４及び図５において、一点鎖線は、第１線状部分３１などのタッチパネルセンサ２０の構成要素の輪郭を示すために仮想的に描いた線である。各構成要素の輪郭は、導線６１の端部を連結した線によって画定される。例えば図５に示すように、第１線状部分３１の側部３１１の輪郭は、第１方向Ｄ１に沿って並ぶ複数の導線６１の端部を連結した線によって画定される。
【００４９】
第１方向Ｄ１に延びる第１線状部分３１及び第２線状部分４１において、好ましくは、導線６１同士が交わる交点６１ａが、第１方向Ｄ１に直交する方向（ここでは第２方向Ｄ２）に沿って少なくとも２つ以上並んでいる。この場合、仮に製造時のエッチング不良などによって１個の交点６１ａが除去されてしまった場合であっても、第１線状部分３１及び第２線状部分４１に少なくとも１個の交点６１ａを残すことができる。従って、残っている少なくとも１個の交点６１ａを利用して、第１方向Ｄ１に沿って第１線状部分３１及び第２線状部分４１に信号を与えることができる。これによって、第１線状部分３１及び第２線状部分４１が断線してしまう可能性を低減することができる。
【００５０】
同様に、第３方向Ｄ３に延びる第１配線２６及び第２配線２８においても、図示はしないが、導線６１同士が交わる交点６１ａが第３方向Ｄ３に直交する方向（ここでは第４方向Ｄ４）に沿って少なくとも２つ以上並んでいることが好ましい。これによって、第１配線２６及び第２配線２８が断線してしまう可能性を低減することができる。
【００５１】
図８は、タッチパネルセンサ２０の断面構造の一例を示す図である。図８に示すように、導線６１は、基材２２の第１面２２ａ上に設けられた金属層６４を含んでいる。金属層６４は、例えば、銀、銅、アルミニウムまたはこれらの合金等を含んでいる。金属層６４の幅は、求められる開口率などに応じて設定されるが、例えば１μｍ以上且つ１０μｍ以下である。金属層６４の厚みは、第１電極３０及び第２電極４０に対して求められる電気抵抗値などに応じて適宜設定されるが、例えば０．１μｍ以上且つ５．０μｍ以下である。図６に示す金属層６４は、例えば、基材２２の第１面２２ａ上に全域にわたって設けられた金属層をエッチングなどによってパターニングすることによって得られる。
【００５２】
なお、図示はしないが、導線６１には、導線６１による光の反射を抑制するための低反射処理が施されていてもよい。例えば、金属層６４の表面には黒化処理が施されていてもよい。また、導線６１は、金属層６４と基材２２の第１面２２ａとの間に位置する低反射層を更に含んでいてもよい。
【００５３】
（本実施の形態の効果）
本実施の形態によれば、上述のように、センサ部２４の第１電極３０及び第２電極４０がそれぞれ、互いに対向する複数の第１線状部分３１及び第２線状部分４１を含む。このため、第１電極３０と第２電極４０との間に、第１線状部分３１及び第２線状部分４１の数に比例した静電容量を有するコンデンサを形成することができる。このため、センサ部２４の静電容量を増加させることができ、このことにより、センサ部２４の検出感度を高めることができる。
【００５４】
また、本実施の形態によれば、第１電極３０の第１線状部分３１と第２電極４０の第２線状部分４１との間に、第１線状部分３１及び第２線状部分４１のいずれにも接続されていない第１ダミー電極５１が設けられている。このため、第１隙間Ｓ１の幅ａを小さく維持しながら、第１線状部分３１と第２線状部分４１との間の間隔ｃを任意に設定することができる。このことにより、第１隙間Ｓ１がユーザーによって視認されてしまうことを抑制しながら、センサ部２４が外部導体７２を検出し始める際の、基材２２の第２面２２ｂと外部導体７２との間の距離Ｅを増加させることができる。
【００５５】
〔変形例〕
上述した実施の形態に対して様々な変更を加えることが可能である。以下、図面を参照しながら、いくつかの変形例について説明する。以下の説明および以下の説明で用いる図面では、上述した実施の形態と同様に構成され得る部分について、上述の各実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００５６】
（ダミー電極の変形例）
上述の実施の形態においては、第１ダミー電極５１が第１方向Ｄ１に連続的に延びる例を示した。しかしながら、これに限られることはなく、図９に示すように、第１ダミー電極５１は、第１方向Ｄ１に並ぶ複数のダミー領域５１１を含んでいてもよい。言い換えると、第１ダミー電極５１は、第１方向Ｄ１において複数の領域（ダミー領域５１１）に分断されていてもよい。
【００５７】
センサ部２４に含まれる第１線状部分３１及び第２線状部分４１はいずれも第１方向Ｄ１に延びている。このため、センサ部２４においては、第１方向Ｄ１に延びる第１隙間Ｓ１の方が、第２方向Ｄ２に延びる第２隙間Ｓ２よりも多く存在している。従って、第１隙間Ｓ１の方が第２隙間Ｓ２よりもユーザーによって視認され易いと考えられる。
【００５８】
ここで本変形例によれば、第１ダミー電極５１を第１方向Ｄ１において複数のダミー領域５１１に分断することにより、図９に示すように、第１方向Ｄ１に交差する方向に、例えば第２方向Ｄ２に沿って延びる隙間（以下、第４隙間Ｓ４と称する）を、ダミー領域５１１の間に形成することができる。これによって、隙間が延びる方向が特定の方向に偏ることを抑制することができ、このことにより、隙間がユーザーによって視認されることを抑制することができる。
【００５９】
図９において、符号Ｗ１は、第１方向Ｄ１におけるダミー領域５１１の寸法を表し、符号ｄは、第１方向Ｄ１における第４隙間Ｓ４の幅を表す。ダミー領域５１１の寸法Ｗ１は、例えば２００μｍ以上且つ５０００μｍ以下である。また、第４隙間Ｓ４の幅ｄは、例えば５μｍ以上且つ７０μｍ以下である。図９に示す例において、第１方向Ｄ１に並ぶ複数のダミー領域５１１の寸法Ｗ１及び第４隙間Ｓ４の幅ｄは、一定である。言い換えると、図９に示す例においては、同一の寸法Ｗ１を有する複数のダミー領域５１１が、等間隔で第１方向Ｄ１に並んでいる。
【００６０】
図１０は、ダミー領域５１１のその他の例を示す平面図である。図１０に示すように、第１方向Ｄ１に並ぶ複数のダミー領域５１１の寸法Ｗ１及び第４隙間Ｓ４の幅ｄは、一定でなくてもよい。これによって、第４隙間Ｓ４が目立つことを抑制することができる。
【００６１】
図１０に示す例において、第１方向Ｄ１に並ぶ複数のダミー領域５１１の寸法Ｗ１は、例えば２００μｍ以上且つ５０００μｍ以下である。また、複数のダミー領域５１１の第１方向Ｄ１における寸法Ｗ１は、ランダムであることが好ましい。ここで「ランダム」とは、複数のダミー領域５１１の第１方向Ｄ１における寸法Ｗ１の標準偏差Ｗ１＿σが、所定の閾値以上であることを意味する。閾値は、第４隙間Ｓ４が目立つことを抑制することができるように設定され、例えば１００μｍである。
【００６２】
図１１は、ダミー領域５１１のその他の例を示す平面図である。図１１に示す例において、ダミー領域５１１は、第１方向Ｄ１において隣り合う２つの交点６１ａが電気的に分断されるよう、構成されている。言い換えると、第１方向Ｄ１におけるダミー領域５１１の寸法Ｗ１は、第１方向Ｄ１に並ぶ複数の交点６１ａのピッチＰ１の少なくとも２倍以下であり、より好ましくは１倍未満である。このことにより、本変形例においては、図９及び図１０に示す変形例の場合に比べて、第１方向Ｄ１に並ぶ第４隙間Ｓ４の数が多くなる。従って、仮に製造時のエッチング不良などに起因してダミー電極５０が第１方向Ｄ１における導通性を有するようになることを抑制することができる。このことにより、第１電極３０と第２電極４０との間の電気的な短絡がダミー電極５０の第１ダミー電極５１を介して生じることを抑制することができる。
【００６３】
図１１に示す例において、第１方向Ｄ１に並ぶ複数のダミー領域５１１の寸法Ｗ１は、例えば１００μｍ以上且つ１０００μｍ以下である。
【００６４】
（電極の輪郭の変形例）
上述の実施の形態及び各変形例においては、第１線状部分３１の側部３１１が第１方向Ｄ１に沿って直線状に延びる例を示した。しかしながら、これに限られることはなく、図１２又は図１３に示すように、第１線状部分３１の側部３１１は、鋸状の輪郭を有していてもよい。言い換えると、側部３１１の輪郭が延びる方向が、第１方向Ｄ１に対して角度θ１を成していてもよい。角度θ１は、例えば２０°以上且つ７０°以下である。図１２に示す例において、角度θ１は２０°である。図１３に示す例において、角度θ１は４５°である。第１ダミー電極５１の側部や、図示はしないが第２線状部分４１の側部４１１も同様に、鋸状の輪郭を有していてもよい。
【００６５】
第１線状部分３１の側部３１１が鋸状の輪郭を有することにより、第１隙間Ｓ１がユーザーによって視認されてしまうことを更に抑制することができる。
【００６６】
また、上述の実施の形態及び各変形例においては、第１接続部分３２の側部３２１が第２方向Ｄ２に沿って直線状に延びる例を示した。しかしながら、これに限られることはなく、図１４に示すように、第１接続部分３２の側部３２１は、鋸状の輪郭を有していてもよい。言い換えると、側部３２１の輪郭が延びる方向が、第２方向Ｄ２に対して角度θ２を成していてもよい。角度θ２は、例えば２０°以上且つ７０°以下である。第２接続部分４２の側部４２１も同様に、鋸状の輪郭を有していてもよい。
【００６７】
第１接続部分３２の側部３２１が鋸状の輪郭を有することにより、第２隙間Ｓ２がユーザーによって視認されてしまうことを更に抑制することができる。
【００６８】
（センサ部の変形例）
上述の実施の形態及び各変形例においては、第１電極３０の第１線状部分３１及び第２電極４０の第２線状部分４１が延びる第１方向Ｄ１が、第１配線２６の線状部分２６２が延びる第３方向Ｄ３に平行である例を示した。本実施の形態においては、第１電極３０の第１線状部分３１及び第２電極４０の第２線状部分４１が延びる第１方向Ｄ１が、第３方向Ｄ３に平行ではない例を説明する。
【００６９】
図１５は、１つのセンサ部２４、並びに、センサ部２４の近傍に位置する第１配線２６及び第２配線２８を示す平面図である。図１５に示す例においては、第１電極３０の第１線状部分３１及び第２電極４０の第２線状部分４１が延びる第１方向Ｄ１が、第１配線２６の線状部分２６２が延びる第３方向Ｄ３に直交している。この場合、第１線状部分３１と第２線状部分４１との間に形成される第１隙間Ｓ１が延びる方向も、複数の線状部分２６２の間に形成される第３隙間Ｓ３が延びる方向に直交する。このため、第１隙間Ｓ１と第３隙間Ｓ３とが同一の方向に延びる場合に比べて、第１隙間Ｓ１及び第３隙間Ｓ３のパターンが目立つことを抑制することができる。これによって、第１隙間Ｓ１及び第３隙間Ｓ３がユーザーによって視認されてしまうことを抑制することができる。
【００７０】
また、図１５に示す例においても、第１電極３０の第１線状部分３１と第２電極４０の第２線状部分４１との間に第１ダミー電極５１を設けることにより、第１隙間Ｓ１の幅を小さく維持しながら、第１線状部分３１と第２線状部分４１との間の間隔を任意に設定することができる。このことにより、第１隙間Ｓ１がユーザーによって視認されてしまうことを抑制しながら、センサ部２４が外部導体７２を検出し始める際の、基材２２の第２面２２ｂと外部導体７２との間の距離Ｅを増加させることができる。
【００７１】
なお、上述した実施の形態に対するいくつかの変形例を説明してきたが、当然に、複数の変形例を適宜組み合わせて適用することも可能である。
【符号の説明】
【００７２】
１０  タッチ位置検出機能付き表示装置
１５  表示装置
２０  タッチパネルセンサ
２２  基材
２４  センサ部
２６  第１配線
２６１  接続部分
２６２  線状部分
２６３  側部
２８  第２配線
２８１  接続部分
２８３  側部
３０  第１電極
３１  第１線状部分
３１１  側部
３１２  端部
３２  第１接続部分
３２１  側部
４０  第２電極
４１  第２線状部分
４１１  側部
４１２  端部
４２  第２接続部分
４２１  側部
５０  ダミー電極
５１  第１ダミー電極
５１１  ダミー領域
５２  第２ダミー電極
６１  導線
６２  開口部
６３  分断部
７１  電気力線
７２  外部導体
【図１】
2018112842.tif 000003
【図２】
2018112842.tif 000004
【図３】
2018112842.tif 000005
【図４】
2018112842.tif 000006
【図５】
2018112842.tif 000007
【図６】
2018112842.tif 000008
【図７】
2018112842.tif 000009
【図８】
2018112842.tif 000010
【図９】
2018112842.tif 000011
【図１０】
2018112842.tif 000012
【図１１】
2018112842.tif 000013
【図１２】
2018112842.tif 000014
【図１３】
2018112842.tif 000015
【図１４】
2018112842.tif 000016
【図１５】
2018112842.tif 000017